(57)【要約】【課題】バッテリに蓄えられた電力を個人利用の範囲に限られず有効利用することができるバッテリ制御装置、充放電装置、電力管理装置、バッテリ装置、電気自動車を提供する。【解決手段】電力を蓄えるバッテリの残量を記憶する記憶部と、バッテリの残量を第１の残量と第２の残量とに分けて記憶部に記憶させることにより、バッテリを第１の領域と前記第２の領域とに分けて管理する制御部とを備えるバッテリ制御装置である。【選択図】図４
2014027800.tif 000002
【特許請求の範囲】
【請求項１】
電力を蓄えるバッテリの残量を記憶する記憶部と、
前記バッテリの残量を第１の残量と第２の残量とに分けて前記記憶部に記憶させることにより、前記バッテリを第１の領域と前記第２の領域とに分けて管理する制御部と
を備えるバッテリ制御装置。
【請求項２】
前記第１の領域は、所定のユーザのみが使用することができる電力を蓄える領域である
請求項１に記載のバッテリ制御装置。
【請求項３】
前記第２の領域は、所定のユーザが使用することができるとともに、電力網へ供給することができる電力を蓄える領域である
請求項１に記載のバッテリ制御装置。
【請求項４】
前記制御部は、前記バッテリに対する充電がなされ、該充電が、前記バッテリの前記第１の領域に対する充電である場合には、前記記憶部の前記第１の残量を増加させ、前記充電が、前記バッテリの前記第２の領域に対する充電である場合には、前記記憶部の前記第２の残量を増加させる
請求項１に記載のバッテリ制御装置。
【請求項５】
前記制御部は、前記バッテリからの放電がなされ、該放電が、前記バッテリの前記第１の領域からの放電である場合には、前記記憶部の前記第１の残量を減少させ、前記放電が、前記バッテリの前記第２の領域からの放電である場合には、前記記憶部の前記第２の残量を減少させる
請求項１に記載のバッテリ制御装置。
【請求項６】
前記制御部は、前記バッテリの前記第１の残量が無くなった場合にのみ、前記第２の残量を減らす
請求項１に記載のバッテリ制御装置。
【請求項７】
電力網において電力需要に対して電力供給が足りている場合にはバッテリに前記電力網からの電力を供給すると共に、前記電力網において電力需要に対して電力供給が不足している場合には前記バッテリから逆潮流された電力を前記電力網へ供給する
充放電装置。
【請求項８】
電力網において電力需要に対して電力供給が足りているか否かを監視し、監視結果に基づき、前記電力網において電力需要に対して電力供給が足りている場合にはバッテリに前記電力網からの電力を供給し、前記電力網において電力需要に対して電力供給が不足している場合には前記バッテリから逆潮流された電力を前記電力網へ供給するように、前記バッテリにおける充放電を行う充放電装置に指示を行う
電力管理装置。
【請求項９】
所定のユーザのみが使用することができる電力を蓄える第１のバッテリと、
ユーザが使用することができるとともに、電力網へ供給することができる電力を蓄える第２のバッテリと
を備えるバッテリ装置。
【請求項１０】
電力を蓄えるバッテリと、
前記バッテリの残量を記憶する記憶部と、
前記バッテリの残量を第１の残量と第２の残量とに分けて前記記憶部に記憶させることにより、前記バッテリを第１の領域と前記第２の領域とに分けて管理する制御部とからなるバッテリ制御装置
を備える電気自動車。
【請求項１１】
所定のユーザのみが使用することができる電力を蓄える第１のバッテリと、
ユーザが使用することができるとともに、電力網へ供給することができる電力を蓄える第２のバッテリと
を備える電気自動車。
【発明の詳細な説明】
【技術分野】
【０００１】
本発明は、バッテリ制御装置、充放電装置、電力管理装置、バッテリ装置、電気自動車に関する。
【背景技術】
【０００２】
近年、エネルギー問題などへの関心の高まりに伴い、電力の効率的な利用、電力利用の利便性を高める種々の提案がなされている。その１つとして、電気自動車のバッテリの残容量を確保しつつ、電気自動車のバッテリから需要家の電気設備に電力を融通する電力システムが提案されている（特許文献１）。
【先行技術文献】
【特許文献】
【０００３】
【特許文献１】特開２０１２−２９４８３号公報
【発明の概要】
【発明が解決しようとする課題】
【０００４】
電気自動車のバッテリは、その容量が大きいことから、電力の需給バランスの安定化に貢献することが期待できる。しかし、特許文献１に記載された技術では、個人の電力と、公共の電力をわけて処理する技術がないため、電気自動車のバッテリを自宅の電力網に逆潮流させて自宅用の電源として使うという、個人の利用の範囲に限られていた。
【０００５】
そこで、本技術は、バッテリに蓄えられた電力を個人利用の範囲に限られず有効利用することができるバッテリ制御装置、充放電装置、電力管理装置、バッテリ装置、電気自動車を提供することを目的とする。
【課題を解決するための手段】
【０００６】
上記目的を達成するために、第１の技術は、電力を蓄えるバッテリの残量を記憶する記憶部と、バッテリの残量を第１の残量と第２の残量とに分けて記憶部に記憶させることにより、バッテリを第１の領域と前記第２の領域とに分けて管理する制御部とを備えるバッテリ制御装置である。
【０００７】
また、第２の技術は、電力網において電力需要に対して電力供給が足りている場合にはバッテリに電力網からの電力を供給すると共に、電力網において電力需要に対して電力供給が不足している場合にはバッテリから逆潮流された電力を電力網へ供給する充放電装置である。
【０００８】
また、第３の技術は、電力網において電力需要に対して電力供給が足りているか否かを監視し、監視結果に基づき、電力網において電力需要に対して電力供給が足りている場合にはバッテリに電力網からの電力を供給し、電力網において電力需要に対して電力供給が不足している場合にはバッテリから逆潮流された電力を電力網へ供給するように、バッテリにおける充放電を行う充放電装置に指示を行う電力管理装置である。
【０００９】
また、第４の技術は、所定のユーザのみが使用することができる電力を蓄える第１のバッテリと、ユーザが使用することができるとともに、電力網へ供給することができる電力を蓄える第２のバッテリとを備えるバッテリ装置である。
【００１０】
また、第５の技術は、電力を蓄えるバッテリと、バッテリの残量を記憶する記憶部と、バッテリの残量を第１の残量と第２の残量とに分けて記憶部に記憶させることにより、バッテリを第１の領域と前記第２の領域とに分けて管理する制御部とを備える電気自動車である。
【００１１】
さらに、第６の技術は、所定のユーザのみが使用することができる電力を蓄える第１のバッテリと、ユーザが使用することができるとともに、電力網へ供給することができる電力を蓄える第２のバッテリとを備える電気自動車である。
【発明の効果】
【００１２】
本技術によれば、バッテリに蓄えられた電力を個人利用の範囲に限られず有効利用することができる。
【図面の簡単な説明】
【００１３】
【図１】図１は、本技術に係る電力システムの構成を示すブロック図である。
【図２】図２は、電力管理装置の構成を示すブロック図である。
【図３】図３Ａは、充放電装置の構成を示すブロック図であり、図３Ｂは、充放電部の構成を示すブロック図である。
【図４】図４は、本技術の第１の実施の形態における負荷の構成を示すブロック図である。
【図５】図５は、本技術の第１の実施の形態において、充放電装置と負荷とが接続されている場合の処理流れを示すフローチャートである。
【図６】図６は、本技術の第１の実施の形態において、充放電装置と負荷とが接続されている場合の処理流れを示すフローチャートである。
【図７】図７は、本技術の第１の実施の形態において、充放電装置と負荷とが接続されていない場合の処理流れを示すフローチャートである。
【図８】図８は、本技術の第２の実施の形態における負荷の構成を示すブロック図である。
【図９】図９は、本技術の第２の実施の形態において、充放電装置と負荷とが接続されている場合の処理流れを示すフローチャートである。
【図１０】図１０は、本技術の第２の実施の形態において、充放電装置と負荷とが接続されていない場合の処理流れを示すフローチャートである。
【図１１】電気自動車の第１の態様の構成を示すブロック図である。
【図１２】電気自動車の第２の態様の構成を示すブロック図である。
【発明を実施するための形態】
【００１４】
以下、本技術の実施の形態について図面を参照しながら説明する。ただし、本技術は以下の実施例のみに限定されるものではない。なお、説明は以下の順序で行う。
＜１．第１の実施の形態＞
［１−１.電力システムの構成］
［１−２.電力システムにおける処理］
＜２．第２の実施の形態＞
［２−１.電力システムの構成］
［２−２.電力システムにおける処理］
＜３．変形例＞
【００１５】
＜１．第１の実施の形態＞
［１−１.電力システムの構成］
図１は、本技術に係る電力システム１の構成を示すブロック図である。電力システム１は、発電設備１００、電力管理装置２００、電力需要家３００、充放電装置４００、負荷５００、課金・認証サーバ６００とから構成されている。
【００１６】
発電設備１００は、例えば電力会社の発電所などにおいて発電を行うものである。発電方法としては、原子力発電、火力発電、自然エネルギー発電などいかなる方法でも構わない。ただし、近年のエネルギー問題、環境問題などを考慮して、環境負荷が低いいわゆる自然エネルギー、再生可能エネルギーなどと称されるエネルギーを用いた発電設備であることが好ましい場合がある。例えば、太陽光、太陽熱、風力、水力、マイクロ水力、潮汐力、波力、水の温度差、海流、バイオマス、地熱、音や振動などのエネルギー、などを利用した発電設備である。また、発電機能を備えるエアロバイク、人が上を歩くことにより発電する仕組みを有する床（発電床などと称される。）など人力で発電を行うものであってもよい。
【００１７】
電力管理装置２００は、電力網における電力需給の状況の管理などを行うサーバ装置などである。図２は、電力管理装置２００の構成を示すブロック図である。電力管理装置２００は、通信部２１０および電力管理部２２０を備える。
【００１８】
通信部２１０は、例えば、所定のプロトコルに基づいてインターネット、専用回線などのネットワークを介して発電設備１００、充放電装置４００など通信を行うためのネットワークインターフェースである。通信方式は有線通信、無線ＬＡＮ（Local Area Network）、Ｗｉ−Ｆｉ（Wireless Fidelity）、３Ｇ回線、４Ｇ回線を用いた通信など、どのようなものでもよい。
【００１９】
電力管理部２２０は、充放電装置４００による負荷５００への充電、または充放電装置４００による負荷５００からの放電を行うために充放電装置４００の動作の切り替えを制御するものである。電力管理部２２０は、発電設備１００における発電量、電力需給家における消費電力量を常時把握することにより、電力網における電力需給の状態を常時監視する。そして、その電力網における電力需給のバランスに応じて、充放電装置４００の動作の切り替えを制御する。
【００２０】
詳しくは、電力管理部２２０は、電力網において、電力の需要に対して電力の供給が足りている場合には、充放電装置４００が負荷５００に電力供給を行うように充放電装置４００の動作を切り替える制御を行う。一方、電力管理部２２０は、電力網において、電力の需要に対して電力の供給が不足している場合には、充放電装置４００が負荷５００からの電力を電力網に放電するように充放電装置４００の動作を切り替える制御を行う。電力管理部２２０による充放電装置４００を制御するための制御信号は通信部２１０を介して充放電装置４００に送信される。
【００２１】
図１の説明に戻る。充放電装置４００は、バッテリを備える負荷５００に電力を供給するものである。
【００２２】
ここで、図３を参照して、充放電装置４００の構成について説明する。充放電装置４００は、通信部４１０、表示部４２０、制御部４３０および充放電部４４０を備える。
【００２３】
通信部４１０は、例えば、所定のプロトコルに基づいてインターネット、専用回線などのネットワークを介して電力管理装置２００と通信を行うためのネットワークインターフェースである。通信方式は有線通信、無線ＬＡＮ、Ｗｉ−Ｆｉ、３Ｇ回線、４Ｇ回線を用いた通信など、どのようなものでもよい。
【００２４】
表示部４２０は、例えば、ＬＣＤ（Liquid Crystal Display）、ＰＤＰ(Plasma Display Panel)、有機ＥＬ(Electro Luminescence)パネルなどにより構成された表示手段である。表示部４２０には、制御部４３０の制御のもと、負荷５００に対する充電量、負荷５００からの放電量などが表示される。
【００２５】
制御部４３０は、例えば、ＣＰＵ、ＲＡＭおよびＲＯＭなどからなり、所定のプログラムを実行することにより充放電装置４００の全体制御などを行う処理部である。制御部４３０は、電力管理装置２００からの充放電の切り替えを指示する制御信号に従って充放電部４４０の動作を制御する。
【００２６】
図３Ｂは充放電部４４０の構成を示すブロック図である。充放電部４４０は、ＡＣ／ＤＣ変換部４４１、ＤＣ／ＡＣ変換部４４２、切り替え部４４３、コネクタ４４４とから構成されている。充放電部４４０は、負荷５００に対する充電および負荷５００からの放電を行うものである。
【００２７】
ＡＣ／ＤＣ変換部４４１は、交流を直流に変換するとともに、電圧を調整する。ＤＣ／ＡＣ変換部４４２は、直流を交流に変換するとともに、電圧を調整する。コネクタ４４４は、負荷５００の充放電アダプタに挿着できるようになっている。切り替え部４４３は、例えば、切り替え可能なスイッチ回路である。切り替え部４４３は、充放電装置４００から制御信号にしたがった制御部４３０からの制御に基づき動作し、負荷５００への充電を行うか、負荷５００からの放電を行うかを切り替えるものである。
【００２８】
発電設備１００からの電力を負荷５００に供給する場合には、切り替え部４４３はＡＣ／ＤＣ変換部４４１側に切り替えられる。そして、電力はＡＣ／ＤＣ変換部４４１において直流に変換され、その電力がコネクタ４４４を介して負荷５００のバッテリ５１０に供給され、バッテリ５１０が充電される。
【００２９】
一方、負荷５００のバッテリ５１０からの電力を電力網に放電する場合には、切り替え部４４３は、ＤＣ／ＡＣ変換部４４２側に切り替えられる。そして、電力はＤＣ／ＡＣ変換部４４２において交流に変換され、その電力が充放電装置４００により電力網に供給される。
【００３０】
充放電装置４００のコネクタ４４４は、負荷５００または負荷に設けられたバッテリ５１０との接続を行うためのコンセント、プラグなどのコネクタである。コネクタ４４４は、認証型コンセントとしての機能を備えるものである。認証型コンセントには、非接触型ＩＣカード式、電力線重畳通信式などがある。
【００３１】
非接触型ＩＣカード式とは、非接触型ＩＣカードにおける情報読取の仕組みを利用した方式である。ＩＣ読み書き用のリーダ/ライタをコネクタ４４４の中に設けておき、負荷５００、またはバッテリ５１０のプラグに、識別情報などが書き込まれたＩＣチップを埋め込んでおく。これにより、負荷５００のプラグを充放電装置４００のコネクタ４４４に挿すとＩＣチップとリーダ/ライタが接近し、通信が可能になり、識別情報などの各種情報を読み取ることができる。
【００３２】
電力線重畳通信方式とは、電力供給用の電力線に重畳されたリーダ・ライタの高周波信号によってバッテリまたはバッテリを備える装置、機器が備えるＩＣチップに書き込まれた各種情報などを読み取る方式である。
【００３３】
本技術においては、上述したいずれの方式を採用してもよい。また、この２つの方式以外でも、充電のためコンセント接続時に情報を読み取ることができる仕組みならどのようなものを採用してもよい。
【００３４】
図１の説明に戻る。電力システム１を構成する負荷５００は、バッテリ５１０を備え、電力によって動作する、電気機器、家電製品、電気自動車などである。
【００３５】
図４を参照して負荷５００の詳細な構成について説明する。負荷５００は、バッテリ５１０およびバッテリ制御装置５２０を備える。バッテリ制御装置５２０は、通信部５２１、記憶部５２２、制御部５２３、入力部５２４および表示部５２５を備える。
【００３６】
バッテリ５１０は、リチウムイオン二次電池、リチウムイオンポリマー二次電池、ニッケル水素電池など充放電を行うことができるものであればいかなるものを採用してもよい。バッテリ５１０は、専用領域５１１と共通領域５１２を有するものである。専用領域５１１と共通領域５１２については後述する。
【００３７】
通信部５２１は、例えば、所定のプロトコルに基づいてインターネット、専用回線などのネットワークを介して通信を行うためのネットワークインターフェースである。通信方式は有線通信、無線ＬＡＮ、Ｗｉ−Ｆｉ、３Ｇ回線、４Ｇ回線を用いた通信など、どのようなものでもよい。
【００３８】
記憶部５２２は、例えば、ハードディスク、フラッシュメモリなどにより構成される記憶媒体である。記憶部５２２は、バッテリ５１０の専用領域５１１、共通領域５１２における残量を示す残量データを記憶する。
【００３９】
制御部５２３は、例えば、ＣＰＵ、ＲＡＭおよびＲＯＭなどからなり、所定のプログラムを実行することにより負荷５００を制御する処理部である。制御部５２３は、バッテリ５１０の残量を取得し、バッテリ５１０が満充電になったか、バッテリ５１０の残量がゼロになったかなどを確認する。バッテリ５１０の残量の取得は、例えば、バッテリ５１０が備える電圧計、電流計の測定値を参照することにより行うことができる。
【００４０】
また、制御部５２３は、負荷５００のバッテリ５１０に対する充電または、バッテリ５１０からの放電が行われると、それに応じて記憶部５２２に記録されたバッテリ５１０の専用領域５１１、共通領域５１２の残量データを更新する。すなわち、制御部５２３は、バッテリ５１０への電力供給時、バッテリ５１０からの放電時にどちらの領域においてどれだけの電力の出入りがあったかを判断し、その結果に基づいて、記憶部５２２にある専用領域５１１、共通領域５１２の残量データの書き込み、更新を行う。
【００４１】
入力部５２４は、ユーザが負荷５００への指示を入力するために用いる入力手段である。入力部５２４は例えば、表示部５２５と一体に構成されたタッチスクリーン、ボタン、スイッチ、ダイヤルなどにより構成される。入力部５２４に対して入力がなされると、その入力に対応した制御信号が生成されて制御部５２３に出力される。そして、制御部５２３によりその制御信号に対応した演算処理や制御が行われる。
【００４２】
本実施の形態においては、例えば、ユーザは入力部５２４に対して、バッテリ５１０の専用領域５１１を充電するか、共通領域５１２を充電するかの選択入力を行うことができるようにするとよい。ユーザがバッテリ５１０の専用領域５１１に充電することを選択し、充放電装置４００によりバッテリ５１０の充電が行われた場合、制御部５２３は、記憶部５２２における専用領域５１１の残量データを増加させる。また、バッテリ５１０の専用領域５１１から放電を行った場合には、制御部５２３は、記憶部５２２における専用領域５１１の残量データを減少させる。
【００４３】
一方、ユーザがバッテリ５１０の共通領域５１２に充電することを選択し、充放電装置４００によりバッテリ５１０の充電が行われた場合、制御部５２３は、記憶部５２２における共通領域５１２の残量データを増加させる。
また、バッテリ５１０の共通領域５１２から放電を行った場合には、制御部５２３は、記憶部５２２における共通領域５１２の残量データを減少させる。このようにして、バッテリ５１０自体は専用領域５１１と共通領域５１２とに別れていなくても、仮想的にバッテリ５１０を専用領域５１１と共通領域５１２とに分けることができる。
【００４４】
このように、第１の実施の形態においては、バッテリ５１０の専用領域５１１と共通領域５１２とは物理的に別個のバッテリなのではなく、１つのバッテリ５１０である。バッテリ５１０の残量をデータ上専用領域５１１と共通領域５１２とで分けて管理することにより、仮想的に専用領域５１１と共通領域５１２の２つの領域を有するものとして扱うことが可能となっている。
【００４５】
バッテリ５１０の専用領域５１１に蓄えられる電力は、所定のユーザのみが使用することができるものであり、例えば、共通領域５１２の電力よりも割高で提供される。所定のユーザとは、負荷の所有者、負荷の所有者から負荷の使用を許可された者、負荷を使用する権利を有する者などである。
【００４６】
一方、バッテリ５１０の共通領域５１２に蓄えられる電力も所定のユーザは使用することができるものである。ただし、街、地域など所定の範囲における電力網の電力需要がひっ迫した状態においては放電して電力網に電力供給を行わなければいけない。共通領域５１２の電力は、例えば無料、または専用領域５１１の電力より安値で提供される。
【００４７】
なお、ユーザ個人がバッテリ５１０に蓄えられた電力を使用する場合、まず専用領域５１１の電力を使用し、専用領域５１１の電力が無くなったら共通領域５１２の電力を使用することができるようにする必要がある。なぜなら、専用領域５１１と共通領域５１２とで、電気料金に差がある場合、先に共通領域５１２の電力を使用することができるとすると、安い共通領域５１２の電力のみを使用し続けることが可能となってしまうからである。これは、例えば、記憶部５２２に記録された残量データの更新において、専用領域５１１の残量が無くなるまでは共通領域５１２の残量を減らさないようにすることにより実現することができる。
【００４８】
このように、バッテリ５１０は、残量データにより仮想的に専用領域５１１と共通領域５１２とに分けられたものであるため、専用領域５１１と共通領域５１２の割合を必ずしも同一とは限られない。専用領域５１１を共通領域５１２よりも大きい容量としてもよいし、逆に共通領域５１２を専用領域５１１よりも大きい容量としてもよい。
【００４９】
また、ユーザがバッテリ５１０を使用し始めてからバッテリ５１０における専用領域５１１を共通領域５１２の割合を変更可能にしてもよい。ただし、バッテリ５１０に電力が蓄えられている状態で割合の変更が可能だとすると、安値で共通領域５１２に充電した電力を専用領域５１１の電力に置き換えることが可能となってしまう。そこで、バッテリ５１０の専用領域５１１と共通領域５１２の割合を変更可能とする場合には、例えば、専用領域５１１と共通領域５１２が共に残量がゼロである場合にのみ変更できるようにするとよい。専用領域５１１と共通領域５１２の割合の変更は例えば、ユーザが入力部５２４に対して割合を示す具体的な数値を入力し、その数値に基づいて制御部５２３が記憶部５２２における残量データを定義することにより行われる。
【００５０】
表示部５２５は、例えば、ＬＣＤ、ＰＤＰ、有機ＥＬパネルなどにより構成された表示手段である。表示部５２５には、バッテリ５１０の専用領域５１１および共通領域５１２の残量などが表示される。
【００５１】
負荷５００または負荷５００に設けられたバッテリ５１０は、自己を識別するための識別情報としての固有のＩＤ（identification）を有しているとよい。このＩＤを充放電装置４００が認証型コンセントで取得することにより、ユーザ、負荷の種類などを特定して、ユーザごとの充電の方法、課金処理などを実行することができる。
【００５２】
図１の電力システム１の説明に戻る。課金・認証サーバ６００は、負荷５００の確認、認証を行うと共に、電力供給により伴うユーザへの課金の処理を行うサーバ装置である。課金・認証サーバ６００を所有、運用するのは発電設備１００などを所有する電力事業者であってもよいし、電力事業者と提携する第３者であってもよい。
【００５３】
電力システム１は以上のようにして構成されている。
【００５４】
［１−２.電力システムにおける処理］
次に、上述した電力システム１において行われる処理について説明する。第１の実施の形態は、バッテリ５１０の専用領域５１１と共通領域５１２とがバッテリ制御装置５２０の記憶部５２２の記録上で仮想的に分かれている場合である。図４は、電力システム１において、充放電装置４００と負荷５００とが接続されている場合の処理の流れを示すフローチャートである。
【００５５】
なお、電力システム１は、以下の運用ルールに従って運用されるのが望ましい。
【００５６】
バッテリ５１０が電力網に接続されていて、専用領域５１１の充電を行っているときには、バッテリ５１０の専用領域５１１の充電を行う。
【００５７】
バッテリ５１０が電力網に接続されていて、かつ、バッテリ５１０の専用領域５１１の充電を行っていないとき（つまり、専用領域５１１が満充電になったとき、またはユーザが専用領域５１１の充電をしないことを選択したとき）には、バッテリ５１０の共通領域５１２の充放電をすることができる。
【００５８】
バッテリ５１０が電力網に接続されず、かつ専用領域５１１のバッテリ５１０残量があるときには、ユーザはバッテリ５１０の専用領域５１１の電力のみを使うことができる。
【００５９】
バッテリ５１０が電力網に接続されず、かつ専用領域５１１のバッテリ５１０残量がないときには、ユーザはバッテリ５１０の共通領域５１２の電力を使うことができる。
【００６０】
まずステップＳ１０１で、充放電装置４００と負荷５００とが接続される。接続は、例えば、充放電装置４００のコネクタ４４４と負荷５００のコンセントとが接続されることにより行われる。次にステップＳ１０２で、電力管理装置２００による電力網における電力需給状況の確認結果に基づき、電力網への電力供給は十分に行われている場合には処理はステップＳ１０３に進む（ステップＳ１０２のＹｅｓ）。
【００６１】
次にステップＳ１０３で、バッテリ５１０の専用領域５１１に充電を行うか否かが確認される。この確認は例えば、ユーザがバッテリ制御装置５２０の入力部５２４に対して行う充放電の選択入力などに基づいて確認される。バッテリ５１０の専用領域５１１に充電を行う場合には処理はステップＳ１０４に進む（ステップＳ１０３のＹｅｓ）。
【００６２】
次にステップＳ１０４で、バッテリ制御装置５２０の制御部５２３により、バッテリ５１０の専用領域５１１は満充電であるか否かが確認される。これは、制御部５２３が記憶部５２４に記憶された残量データを参照することなどにより行われる。バッテリ５１０の専用領域５１１が満充電ではない場合、処理はステップＳ１０５に進む（ステップＳ１０４のＹｅｓ）。そして、ステップＳ１０５で、バッテリ５１０の充電が行われる。
【００６３】
そして、ステップＳ１０６で、バッテリ制御装置５２０の制御部５２３により、専用領域５１１の残量にバッテリ５１０に供給した電力量を加えるように、記憶部５２２における専用領域５１１の残量データが更新される。さらに、制御部５２３により、表示部５２５におけるバッテリ５１０の専用領域５１１の残量表示も更新される。
【００６４】
処理は再び、ステップＳ１０４に進み、バッテリ制御装置５２０の制御部５２３により、バッテリ５１０の専用領域５１１が満充電であるか否かが確認される。そして、バッテリ５１０の専用領域５１１が満充電ではない限り、ステップＳ１０４からステップＳ１０６の処理が繰り返され、専用領域５１１が満充電になるまでバッテリ５１０の充電が行われる。
【００６５】
そしてステップＳ１０４で、バッテリ５１０の専用領域５１１が満充電であることが確認された場合、処理はステップＳ１０７に進む（ステップＳ１０４のＹｅｓ）。次にステップＳ１０７で、バッテリ制御装置５２０の制御部５２３によりバッテリ５１０の共通領域５１２が満充電であるか否かが確認される。これは、制御部５２３が記憶部５２４に記憶された残量データを参照することなどにより行われる。バッテリ５１０の共通領域５１２が満充電ではない場合、処理はステップＳ１０８に進む（ステップＳ１０７のＹｅｓ）。そして、ステップＳ１０８で、バッテリ５１０の充電が行われる。
【００６６】
次にステップＳ１０９で、バッテリ制御装置５２０の制御部５２３により、共通領域５１２の残量にバッテリ５１０に供給した電力量を加えるよう、記憶部５２２における共通領域５１２の残量データを更新される。また、制御部５２３により、表示部５２５におけるバッテリ５１０の共通領域５１２の残量表示も更新される。
【００６７】
そして、処理は再び、ステップＳ１０７に進み、バッテリ制御装置５２０の制御部５２３によってバッテリ５１０の共通領域５１２は満充電であるか否かが確認される。そして、バッテリ５１０の共通領域５１２が満充電ではない限り、ステップＳ１０７〜ステップＳ１０９の処理が繰り返され、共通領域５１２が満充電になるまでバッテリ５１０の充電が行われる。
【００６８】
そしてステップＳ１０７で、バッテリ５１０の共通領域５１２が満充電であると判定された場合、処理はステップＳ１１０に進む（ステップＳ１０７のＹｅｓ）。
【００６９】
次にステップＳ１１０で、課金・認証サーバ６００によりユーザに対して課金処理が行われる。この課金処理としては、例えば、認証型コンセントを用いた識別情報などの取得により、負荷５００のユーザを特定し、そのユーザのクレジットカードの決済、銀行口座からの引き落としを行うことなどが考えられる。上述したように課金処理においては、専用領域５１１への充電と、共通領域５１２への充電とで異なる処理を行うようにするとよい。例えば、専用領域５１１への充電に比べ、共通領域５１２への充電の料金を安くするなどである。または、専用領域５１１への充電は有料、共通領域５１２への充電は無料としてもよい。
【００７０】
課金処理が終了すると次にステップＳ１１１で、充放電装置４００と負荷５００との接続が解除され、処理は終了となる。
【００７１】
次に、上述したステップＳ１０２で電力網への電力供給が十分ではない場合（ステップＳ１０２のＮｏ）の処理について図６のフローチャートに基づいて説明する。
【００７２】
まずステップＳ１２１で、バッテリ５１０の専用領域５１１に充電を行うか否かを確認する。この確認は例えば、ユーザがバッテリ制御装置５２０の入力部５２４に対して行う充放電の選択入力などに基づいて確認される。バッテリ５１０の専用領域５１１に充電を行わない場合には処理はステップＳ１２２に進む（ステップＳ１２１のＹｅｓ）。
【００７３】
次にステップＳ１２２で、バッテリ制御装置５２０の制御部５２３により、バッテリ５１０の共通領域５１２の残量があるか否かが確認される。バッテリ５１０の共通領域５１２残量がある場合、処理はステップＳ１２３に進む（ステップＳ１２２のＹｅｓ）。
【００７４】
次にステップＳ１２３で、電力管理装置２００により制御のもと、充放電装置４００を介してバッテリ５１０から電力網へ逆潮流が行われる。そしてステップＳ１２４で、バッテリ制御装置５２０の制御部５２３により、逆潮流で放電した分減らすよう記憶部５２２の共通領域５１２の残量データが更新される。また、逆潮流で放電した分減らすように表示部５２５における残量の表示も更新される。
【００７５】
一方、ステップＳ１２２で、バッテリ５１０の共通領域５１２に残量がないと確認された場合、処理はステップＳ１３２に進む（ステップＳ１２２のＮｏ）。そして、充放電装置４００と負荷５００との接続が解除され、処理は終了となる。
【００７６】
説明はステップＳ１２１に戻る。ステップＳ１２１で、バッテリ５１０の専用領域５１１に充電を行うとした場合、処理はステップＳ１２５に進む（ステップＳ１２１のＹｅｓ）。次にステップＳ１２５で、バッテリ制御装置５２０の制御部５２３は、バッテリ５１０の共通領域５１２の残量があるか否かを確認する。共通領域５１２の残量がある場合、処理はステップＳ１２６に進む（ステップＳ１２５のＹｅｓ）。
【００７７】
次にステップＳ１２６で、充放電装置４００を介してバッテリ５１０から電力網へ逆潮流が行われる。そしてステップＳ１２７で、バッテリ制御装置５２０の制御部５２３により、共通領域５１２の残量を減らし、専用領域５１１の残量を増やすように記憶部５２２の残量データが更新される。また、表示部５２５における残量の表示も共通領域５１２の残量を減らし、専用領域５１１の残量を増やすように更新される。なお、逆潮流量、共通領域５１２の残量の減らす量と、専用領域５１１の残量を増やす量には、「共通領域の減らす量＝専用領域の増やす量＋逆潮流量」という関係が成り立つものとする。逆潮流することによって、バッテリ全体（共通領域＋専用領域）の残量は減ることになるが、専用領域５１１の残量が増えることによって、ユーザ自身が専用に使う分の電力を少しは確保することができる。これにより、例えば、電気自動車に本技術を用いる場合においては、ユーザが電気自動車で帰宅しようとしたらバッテリの残量がなくて電気自動車が動かない、という事態を防ぐことができる。
【００７８】
そして、処理は再びステップＳ１２５に進み、バッテリ制御装置５２０の制御部がバッテリ５１０の共通領域５１２の残量を確認する。そして、バッテリ５１０の共通領域５１２の残量がなくなるまで、ステップＳ１２５〜ステップＳ１２７の処理が繰り返され、バッテリ５１０からの逆潮流が行われる。
【００７９】
一方、ステップＳ１２５で、共通領域５１２の残量がないことが確認された場合、処理はステップＳ１２８に進む（ステップＳ１２５のＮｏ）。次にステップＳ１２８で、バッテリ制御装置５２０の制御部５２３により、バッテリ５１０の専用領域５１１が満充電であるか否かを確認される。この確認は、バッテリ制御装置５２０の記憶部５２２の残量データを参照することにより行うことができる。
【００８０】
バッテリ５１０の専用領域５１１が満充電ではない場合、処理はステップＳ１２９に進む（ステップＳ１２８のＮｏ）。次にステップＳ１２９で、充放電装置４００によりバッテリ５１０の充電が行われる。そして、ステップＳ１３０で、バッテリ制御装置５２０の制御部５２３により、専用領域５１１の残量にバッテリ５１０に供給した電力量を加えるよう、記憶部５２２における専用領域５１１の残量データが更新される。また、制御部５２３により、表示部５２５におけるバッテリ５１０の専用領域５１１の残量表示も更新される。
【００８１】
処理は再び、ステップＳ１２８に進み、バッテリ制御装置５２０の制御部５２３がバッテリ５１０の残量を確認することにより、バッテリ５１０の専用領域５１１は満充電であるか否かが確認される。そして、バッテリ５１０の専用領域５１１が満充電ではない限り、ステップＳ１２８〜ステップＳ１３０の処理が繰り返され、専用領域５１１が満充電になるまでバッテリ５１０の充電が行われる。
【００８２】
ステップＳ１２８で、バッテリ制御装置５２０の制御部５２３がバッテリ５１０の専用領域５１１が満充電になったことを確認した場合、処理はステップＳ１３１に進む（ステップＳ１２８のＹｅｓ）。
【００８３】
次にステップＳ１３１で、課金・認証サーバ６００によりユーザに対して課金処理が行われる。上述したように課金処理においては、専用領域５１１への充電と、共通領域５１２への充電とで異なる処理を行うようにするとよい。例えば、専用領域５１１への充電に比べ、共通領域５１２への充電の料金を安くするなどである。または、専用領域５１１への充電は有料、共通領域５１２への充電は無料としてもよい。
【００８４】
課金処理が終了すると次にステップＳ１３２で、充放電装置４００と負荷５００との接続を解除し、処理は終了となる。
【００８５】
次に、図７のフローチャートを参照して充放電装置４００と負荷５００が接続されていない場合の処理について説明する。
【００８６】
まずステップＳ１５１で、バッテリ制御装置５２０の制御部５２３により、バッテリ５１０の専用領域５１１の残量がゼロであるか否かが確認される。そして、バッテリ５１０の専用領域５１１の残量がゼロではない場合、すなわち、専用領域５１１に残量がある場合、処理はステップＳ１５２に進む（ステップＳ１５１のＮｏ）。
【００８７】
バッテリ５１０の専用領域５１１の残量がゼロではない場合にはステップＳ１５２で、ユーザはバッテリ５１０の専用領域５１１に残された電力を使用する。そしてステップＳ１５３で、その電力の使用に応じて、バッテリ制御装置５２０の制御部５２３により、記憶部５２２の専用領域５１１の残量データを減らすよう、記憶部５２２における専用領域５１１の残量データが更新される。さらに、制御部５２３により、表示部５２５における専用領域５１１の残量表示も減らすよう、表示が更新される。
【００８８】
処理はステップＳ１５１に進み、専用領域５１１の残量がゼロになるまで、ステップＳ１５１〜ステップＳ１５３が繰り返され、ユーザによる専用領域５１１の電力の使用が行われる。そして、バッテリ５１０の専用領域５１１の残量がゼロになると、処理はステップＳ１５１からステップＳ１５４に進む（ステップＳ１５１のＹｅｓ）。
【００８９】
次に、ステップＳ１５４で、バッテリ制御装置５２０の制御部５２３により、バッテリ５１０の共通領域５１２の残量がゼロあるか否かが確認される。そして、バッテリ５１０の共通領域５１２の残量がゼロではない場合、すなわち、共通領域５１２に電力がある場合、処理はステップＳ１５５に進む（ステップＳ１５４のＮｏ）。
【００９０】
バッテリ５１０の共通領域５１２の残量がゼロではない場合にはステップＳ１５５で、ユーザはバッテリ５１０の共通領域５１２に残された電力を使用する。そしてステップＳ１５６で、その電力の使用に応じて、制御部５２３は記憶部５２２の共通領域５１２の残量データを減らす。さらに、制御部５２３は、表示部５２５における共通領域５１２の残量表示も減らす。
【００９１】
処理はステップＳ１５４に進み、共通領域５１２の残量がゼロになるまで、ステップＳ１５４〜ステップＳ１５６が繰り返され、ユーザによる共通領域５１２の電力の使用が行われる。そして、バッテリ５１０の共通領域５１２の残量がゼロになると、処理は終了となる（ステップＳ１５４のＹｅｓ）。
【００９２】
このように、ユーザによるバッテリ５１０に蓄えられた電力の使用は、専用領域５１１のものから先に行い、専用領域５１１の電力がなくなったあとに共通領域５１２の電力を使用することができるようにするのが望ましい。これは、専用領域５１１と共通領域５１２とで、充電の料金などに差がある場合、先に共通領域５１２の電力を使用することができるとすると、安い共通領域５１２の電力のみを使用し続けることが可能となってしまうからである。
【００９３】
＜２．第２の実施の形態＞
［２−１.電力システムの構成］
次に、本技術の第２の実施の形態について説明する。第２の実施の形態における電力システムの構成および充放電装置４００の構成は第１の実施の形態に示されたものと同様であるためその説明を省略する。
【００９４】
図８は第２の実施の形態における負荷２０００の構成を示すブロック図である。負荷２０００はバッテリ２１００とバッテリ制御装置５２０とから構成されている。第２の実施の形態は、バッテリ２１００の専用領域と共通領域とが物理的に分かれている点で第１の実施の形態と相違する。
【００９５】
第２の実施の形態におけるバッテリ２１００は、専用領域としての第１バッテリ２１１０と、共通領域としての第２バッテリ２１２０とからなるものである。第１バッテリ２１１０および第２バッテリ２１２０は、例えば、リチウムイオン二次電池、リチウムイオンポリマー二次電池、ニッケル水素電池など充放電を行うことができるものであればいかなるものを採用してもよい。
【００９６】
第１バッテリ２１１０と第２バッテリ２１２０とは、それぞれが充放電装置４００と接続され、それぞれが独立して充放電装置４００との間で充放電が可能なものとする。
【００９７】
［２−２.電力システムにおける処理］
次に、図９のフローチャートを参照して、第２の実施の形態における処理について説明する。まずステップＳ２０１で、充放電装置４００の充電ケーブルと負荷２０００のコンセントとが接続される。次にステップＳ２０２で、専用領域である第１バッテリ２１１０に充電を行うか否かを確認する。この確認は例えば、ユーザが充放電装置４００に対して行う充電指示の内容などに基づいて確認される。専用領域である第１バッテリ２１１０に充電を行う場合には処理はステップＳ２０３に進む（ステップＳ２０２のＹｅｓ）。
【００９８】
そして、ステップＳ２０３で、充放電装置４００によって第１バッテリ２１１０の充電が行われる。次にステップＳ２０４で、バッテリ制御装置５２０の制御部５２３により、専用領域である第１バッテリ２１１０が満充電であるか否かが確認される。第１バッテリ２１１０が満充電ではない場合、ステップＳ２０３およびステップＳ２０４の処理が繰り返され、第１バッテリ２１１０が満充電となるまで充電が行われる（ステップＳ２０４のＮｏ）。
【００９９】
専用領域である第１バッテリ２１１０が満充電となった場合、処理はステップＳ２０５に進む（ステップＳ２０４のＹｅｓ）。次にステップＳ２０５で、電力管理装置２００による電力網における電力需給状況の確認結果に基づき、電力網への電力供給が十分ではない場合、すなわち、電力網において電力が不足している場合、処理はステップＳ２０６に進む（ステップＳ２０５のＮｏ）。
【０１００】
ステップＳ２０６で、充放電装置４００を介して共通領域である第２バッテリ２１２０から電力網へ逆潮流が行われる。これは、電力管理装置２００が電力網において電力が不足していることを確認し、電力管理装置２００が充放電装置４００の動作を充電から放電に切り替えるように制御を行うことにより実行される。そしてステップＳ２０７で、バッテリ制御装置５２０の制御部は共通領域である第２バッテリ２１２０の残量がゼロであるか否かを確認する。第２バッテリ２１２０の残量がゼロ出ない限り、ステップＳ２０６とステップＳ２０７が繰り返され、共通領域である第２バッテリ２１２０からの逆潮流が行われる。
【０１０１】
共通領域である第２のバッテリ２１００の残量がゼロになった場合、処理はステップＳ２０８に進む（ステップＳ２０７のＹｅｓ）。次にステップＳ２０８で、課金・認証サーバ６００によりユーザに対して課金処理が行われる。この課金処理としては、例えば、認証型コンセントを用いた識別情報などの取得により、負荷２０００のユーザを特定し、そのユーザのクレジットカードの決済、銀行口座からの引き落としを行うことなどが考えられる。上述したように課金処理においては、専用領域への充電と、共通領域への充電とで異なる処理を行うようにするとよい。例えば、専用領域への充電に比べ、共通領域への充電の料金を安くするなどである。または、専用領域への充電は有料、共通領域への充電は無料としてもよい。
【０１０２】
課金処理が終了すると次にステップＳ２０９で、充放電装置４００と負荷２０００との接続を解除し、処理は終了となる。
【０１０３】
説明は、ステップＳ２０５に戻る。ステップＳ２０５で、電力管理装置２００が電力網における電力供給が十分であると確認した場合、処理はステップＳ２１０に進む（ステップＳ２０５のＹｅｓ）。次にステップＳ２１０で、充放電装置４００により、共通領域である第２バッテリ２１２０の充電が行われる。そしてステップＳ２１１で、バッテリ制御装置５２０の制御部５２３は、共通領域である第２バッテリ２１２０が満充電になったかを確認し、第２バッテリ２１２０が満充電になるまで、ステップＳ２１０とステップＳ２１１が繰り返されて、第２バッテリ２１２０への充電が行われる。
【０１０４】
ステップＳ２１１で、共通領域である第２バッテリ２１２０が満充電になったことが確認されたら処理はステップＳ２０８に進む（ステップＳ２１１のＹｅｓ）。次にステップＳ２０８で、課金・認証サーバ６００によりユーザに対して課金処理が行われる。課金処理が終了すると次にステップＳ２０９で、充放電装置４００と負荷２０００との接続を解除し、処理は終了となる。
【０１０５】
次に、図７のフローチャートを参照して、第２の実施の形態において、充放電装置４００と負荷２０００が接続されていない場合の処理について説明する。
【０１０６】
まずステップＳ２５１で、専用領域である第１バッテリ２１１０の電力が使用される。これは、ユーザが負荷２０００を使用する場合には、専用領域である第１バッテリ２１１０の電力を使用することを意味する。そして、ステップＳ２５２で、バッテリ制御装置５２０の制御部５２３が専用領域である第１バッテリ２１１０の残量がゼロになったと確認するまで、ユーザの負荷２０００の使用に応じてステップＳ２５１およびステップＳ２５２で第１バッテリ２１１０の電力が使用される。
【０１０７】
そして、専用領域である第１バッテリ２１１０の残量がゼロになると、処理はステップＳ２５３に進み（ステップＳ２５２のＹｅｓ）、共通領域である第２バッテリ２１２０の電力が使用される。これは、既に専用領域である第１バッテリ２１１０の残量はゼロになっているため、ユーザが負荷２０００を使用する場合には、共通領域である第２バッテリ２１２０の電力を使用することを意味する。
【０１０８】
そして、ステップＳ２５４で、バッテリ制御装置５２０の制御部５２３が共通領域である第２バッテリ２１２０の残量がゼロになったと確認するまで、ユーザの負荷２０００の使用に応じてステップＳ２５３およびステップＳ２５４で第２バッテリ２１２０の電力が使用される。
【０１０９】
このように、ユーザによるバッテリ２１００に蓄えられた電力の使用は、専用領域のものから先に行い、専用領域の電力がなくなったあとに共通領域の電力を使用することができるようにするのが望ましい。これは、専用領域と共通領域とで、充電の料金などに差がある場合、先に共通領域の電力を使用することができるとすると、安い共通領域の電力のみを使用し続けることが可能となってしまうからである。
【０１１０】
以上のようにして、第２の実施の形態における処理が行われる。
【０１１１】
このように、本技術によれば、負荷を所有するユーザは自身のバッテリの一部である共通領域の電力を電力事業者、公共などの第３者に提供することが可能となる。これにより、電力事業者が設備投資をしなくても、電力網の様々な場所にバッテリが存在しているのと同義の環境が整い、そのバッテリを充放電することで電力需給の安定化を図ることができる。
【０１１２】
また、ユーザは第３者が共通領域に蓄えた電力を必要に応じて使うことができる。このとき、例えば、専用領域は有料で、共通領域は無料で充電できるようにすれば、ユーザは電気を安く使うことができる。このように、電力の使用態様の幅を広げることができる。
【０１１３】
第１の実施の形態は、残量データによって仮想的にバッテリを専用領域と共通領域とに分けるものであるため、導入が容易であるという利点がある。ただし、第２の実施の形態のように、物理的に専用領域と共通領域とを分けることによっても本技術を実現することはできる。
【０１１４】
バッテリを備える負荷は、電力で動作する装置、機器であればどのようなものであってもよい。ただし、逆潮流により電力網に電力を供給する観点からして負荷は容量の大きいバッテリを備えるものであることが好ましい。容量の大きいバッテリを備えるものとしては、例えば電気自動車またはハイブリッド自動車（以下、電気自動車とハイブリッド自動車を総称して電気自動車と称する。）がある。そこで、本技術が適用される電気自動車の構成について説明する。
【０１１５】
図１１および図１２に、本技術が適用される電気自動車の構成の一例を概略的に示す。電気自動車は、バッテリに蓄えられた電力を用い、電力駆動力変換装置で走行する車両である。図１１は、第１の実施の形態と同様に、バッテリが仮想的に専用領域と共通領域とに分かれているものである。図１２は、第２の実施の形態と同様に、バッテリが物理的に専用領域と共通領域とに分かれているものである。
【０１１６】
この電気自動車３０００には、エンジン３００１、発電機３００２、電力駆動力変換装置３００３、駆動輪３００４ａ、駆動輪３００４ｂ、車輪３００５ａ、車輪３００５ｂ、バッテリ３００８、車両制御装置３００９、バッテリ制御装置３０１０、充電口３０１１が搭載されている。バッテリは、専用領域と共通領域とを有するものである。専用領域と共通領域とは、図１１に示されるように、第１の実施の形態と同様に、仮想的に分かれていてもよい。または、図１２に示されるように、第２の実施の形態と同様に、専用領域としての第１バッテリ３０２１と共通領域としての第２バッテリ３０２２とで物理的に分かれていてもよい。図１１に示されるように、車両制御装置３００９とは別個に、制御部３０１１、記憶部３０１２などを備えるバッテリ制御装置３０１０を設けてもよいし、車両制御装置３００９がバッテリ制御装置の機能を実装してもよい。なお、バッテリ制御装置３０１０の構成、機能などは第１または第２の実施の形態と同様である。
【０１１７】
電気自動車３０００は、電力駆動力変換装置３００３を動力源として走行する。電力駆動力変換装置３００３の一例は、モータである。バッテリーモジュール２０８の電力によって電力駆動力変換装置３００３が作動し、この電力駆動力変換装置３００３の回転力が駆動輪３００４ａ、２０４ｂに伝達される。なお、必要な個所に直流−交流（ＤＣ−ＡＣ）あるいは逆変換（ＡＣ−ＤＣ変換）を用いることによって、電力駆動力変換装置３００３が交流モータでも直流モータでも適用可能である。
【０１１８】
エンジン３００１の回転力は発電機３００２に伝えられ、その回転力によって発電機３００２により生成された電力をバッテリーモジュール２０８に蓄積することが可能である。
【０１１９】
図示しない制動機構により電気自動車３０００が減速すると、その減速時の抵抗力が電力駆動力変換装置３００３に回転力として加わり、この回転力によって電力駆動力変換装置３００３により生成された回生電力がバッテリーモジュール２０８に蓄積される。
【０１２０】
バッテリ３００８は、例えば充電スタンドなどである充放電装置に接続されることで、その充放電装置から充電口３０１１を入力口として電力供給を受け、受けた電力を蓄積することが可能である。また、第１の実施の形態、第２の実施の形態で説明したように、充放電装置を介してバッテリから電力網へ逆潮流することも可能である。
【０１２１】
図示しないが、電池に関する情報に基づいて車両制御に関する情報処理を行う情報処理装置を備えていてもよい。このような情報処理装置としては、例えば、電池の残量に関する情報に基づき、電池残量表示を行う情報処理装置などがある。
【０１２２】
なお、以上は、エンジンで動かす発電機で発電された電力、或いはそれをバッテリに一旦貯めておいた電力を用いて、モータで走行するシリーズハイブリッド車を例として説明した。しかしながら、エンジンとモータの出力がいずれも駆動源とし、エンジンのみで走行、モータのみで走行、エンジンとモータ走行という３つの方式を適宜切り替えて使用するパラレルハイブリッド車に対しても本技術は有効に適用可能である。さらに、エンジンを用いず駆動モータのみによる駆動で走行する所謂、電動車両に対しても本技術は有効に適用可能である。
【０１２３】
＜３．変形例＞
以上、本技術の一実施の形態について具体的に説明したが、本技術は上述の実施形態に限定されるものではなく、本技術の技術的思想に基づく各種の変形が可能である。本技術は以下のような構成も取ることができる。
【０１２４】
（１）電力を蓄えるバッテリの残量を記憶する記憶部と、
前記バッテリの残量を第１の残量と第２の残量とに分けて前記記憶部に記憶させることにより、前記バッテリを第１の領域と前記第２の領域とに分けて管理する制御部と
を備えるバッテリ制御装置。
【０１２５】
（２）前記第１の領域は、所定のユーザのみが使用することができる電力を蓄える領域である
前記（１）に記載のバッテリ制御装置。
【０１２６】
（３）前記第２の領域は、所定のユーザが使用することができるとともに、電力網へ供給することができる電力を蓄える領域である
前記（１）または（２）に記載のバッテリ制御装置。
【０１２７】
（４）前記制御部は、前記バッテリに対する充電がなされ、該充電が、前記バッテリの前記第１の領域に対する充電である場合には、前記記憶部の前記第１の残量を増加させ、前記充電が、前記バッテリの前記第２の領域に対する充電である場合には、前記記憶部の前記第２の残量を増加させる
前記（１）から（３）のいずれかに記載のバッテリ制御装置。
【０１２８】
（５）前記制御部は、前記バッテリからの放電がなされ、該放電が、前記バッテリの前記第１の領域からの放電である場合には、前記記憶部の前記第１の残量を減少させ、前記放電が、前記バッテリの前記第２の領域からの放電である場合には、前記記憶部の前記第２の残量を減少させる
前記（１）から（４）のいずれかに記載のバッテリ制御装置。
【０１２９】
（６）前記制御部は、前記バッテリの前記第１の残量が無くなった場合にのみ、前記第２の残量を減らす
前記（１）から（５）のいずれかに記載のバッテリ制御装置。
【０１３０】
（７）電力網において電力需要に対して電力供給が足りている場合にはバッテリに前記電力網からの電力を供給すると共に、前記電力網において電力需要に対して電力供給が不足している場合には前記バッテリから逆潮流された電力を前記電力網へ供給する
充放電装置。
【０１３１】
（８）電力網において電力需要に対して電力供給が足りているか否かを監視し、監視結果に基づき、前記電力網において電力需要に対して電力供給が足りている場合にはバッテリに前記電力網からの電力を供給し、前記電力網において電力需要に対して電力供給が不足している場合には前記バッテリから逆潮流された電力を前記電力網へ供給するように、前記バッテリにおける充放電を行う充放電装置に指示を行う
電力管理装置。
【０１３２】
（９）所定のユーザのみが使用することができる電力を蓄える第１のバッテリと、
ユーザが使用することができるとともに、電力網へ供給することができる電力を蓄える第２のバッテリと
を備えるバッテリ装置。
【０１３３】
（１０）電力を蓄えるバッテリと、
前記バッテリの残量を記憶する記憶部と、
前記バッテリの残量を第１の残量と第２の残量とに分けて前記記憶部に記憶させることにより、前記バッテリを第１の領域と前記第２の領域とに分けて管理する制御部とからなるバッテリ制御装置
を備える電気自動車。
【０１３４】
（１１）所定のユーザのみが使用することができる電力を蓄える第１のバッテリと、
ユーザが使用することができるとともに、電力網へ供給することができる電力を蓄える第２のバッテリと
を備える電気自動車。
【符号の説明】
【０１３５】
２００・・・・・・・・電力管理装置
４００・・・・・・・・充放電装置
５１０、２１００・・・バッテリ
５１１・・・・・・・・専用領域
５１２・・・・・・・・共通領域
５２２・・・・・・・・記憶部
５２３・・・・・・・・制御部
５２０・・・・・・・・バッテリ制御装置
２１１０・・・・・・・第１バッテリ
２１２０・・・・・・・第２バッテリ
３０００・・・・・・・電気自動車
【図１】
2014027800.tif 000003
【図２】
2014027800.tif 000004
【図３】
2014027800.tif 000005
【図４】
2014027800.tif 000006
【図５】
2014027800.tif 000007
【図６】
2014027800.tif 000008
【図７】
2014027800.tif 000009
【図８】
2014027800.tif 000010
【図９】
2014027800.tif 000011
【図１０】
2014027800.tif 000012
【図１１】
2014027800.tif 000013
【図１２】
2014027800.tif 000014